(57)【要約】【課題】工期の短縮と改装費用の削減が図れるとともに、改装後のサッシ枠の開口面積を、従来工法のように小さくなることを可及的に防止しうるようにした改装サッシ枠を提供する。【解決手段】新設サッシ枠３における新設上枠３ａ、新設下枠３ｂ及び左右の新設縦枠の外周面に突設した外向きの取付片３１を、既設サッシ枠２における障子等用の案内レール９、１０、１３を切除した状態で、既設サッシ枠２の内向固定片８、１２の室外側の側面に、ねじ３４をもって固定することにより、既設サッシ枠２の枠内に新設サッシ枠３を取付ける。【選択図】  図１
2015071920.tif 000002
【特許請求の範囲】
【請求項１】
建物躯体の方形をなす開口部に取付けられた、既設上枠、既設下枠及び左右の既設縦枠よりなる既設サッシ枠の枠内に、新設上枠、新設下枠及び左右の新設縦枠よりなる新設サッシ枠を取付けてなる改装サッシ枠において、
前記既設サッシ枠における既設上枠、既設下枠及び左右の既設縦枠は、内面に前記建物躯体の室外側の側面または前記開口部の内周面に取付けた枠材における室外側の側面に固定された内向固定片を有し、かつ前記既設上枠と既設下枠における前記内向固定片よりも室外側の内面には、内向固定片と平行をなすように内向きに突設された、障子等用の案内レールとを備え、
前記新設サッシ枠における新設上枠、新設下枠及び左右の新設縦枠の外周面に突設した外向きの取付片を、前記案内レールの少なくとも一部を切除した状態で前記内向固定片または開口部の内周面に取付けた前記枠材の室外側の側面に、ねじをもって固定することにより、前記既設サッシ枠の枠内に前記新設サッシ枠を取付けたことを特徴とする改装サッシ枠。
【請求項２】
既設サッシ枠における左右の既設縦枠の内面に突出フィンが設けられているものにおいて、この突出フィン少なくとも一部を切除することを特徴とする請求項１に記載の改装サッシ枠。
【請求項３】
新設上枠、新設下枠及び左右の新設縦枠の外周面における室内側の側縁に、室内方向を向く第２の取付片を設け、この第２の取付片を、建物躯体の開口部の内周面または開口部の内面に取付けた枠材の内周面に、ねじにより固定したことを特徴とする請求項１または２に記載の改装サッシ枠。
【請求項４】
外向きの取付片と内向固定片または枠材の室外側の側面との間にシール材を設けたことを特徴とする請求項１〜３のいずれかに記載の改装サッシ枠。
【請求項５】
建物躯体の方形をなす開口部に取付けられた既設サッシ枠を、請求項１〜４のいずれかに記載の改装サッシ枠に改装する既設サッシ枠の改装工法であって、
前記既設サッシ枠における既設上枠及び既設下枠に枠内方向に内向きに突設された、障子等用の案内レールの少なくとも一部を切除する工程と、
新設サッシ枠における新設上枠、新設下枠及び左右の新設縦枠を、前記既設サッシ枠内に室外側より挿入し、前記新設上枠、新設下枠及び左右の新設縦枠の外向きの取付片を、前記既設サッシ枠における既設上枠、既設下枠及び左右の既設縦枠の内向固定片または開口部の内周面に取付けた枠材の室外側の側面に、ねじにより固定する工程
とを備えることを特徴とする既設サッシ枠の改装工法。
【請求項６】
既設サッシ枠における左右の既設縦枠の内面に突出フィンが設けられているものにおいて、この突出フィン少なくとも一部を切除することを特徴とする請求項５に記載の既設サッシ枠の改装工法。
【請求項７】
新設上枠、新設下枠及び左右の新設縦枠の外周面における室内側の側縁に、室内方向を向く第２の取付片を設け、この第２の取付片を、建物躯体の開口部の内周面または開口部の内面に取付けた枠材の内周面に、ねじにより固定する工程を有することを特徴とする請求項５または６に記載の既設サッシ枠の改装工法。
【請求項８】
取付片と内向固定片または枠材の室外側の側面との間にシール材を介在させて、取付片と内向固定片とをねじにより固定することを特徴とする請求項５〜７のいずれかに記載の既設サッシ枠の改装工法。
【請求項９】
既設サッシ枠の内周面と新設サッシ枠の外周面との間に形成される隙間を、断熱性の塞ぎ材により閉塞することを特徴とする請求項５〜８のいずれかに記載の既設サッシ枠の改装工法。
【発明の詳細な説明】
【技術分野】
【０００１】
本発明は、建物躯体の開口部に取付けられた既設サッシ枠の枠内に、新設サッシ枠を取付けてなる改装サッシ枠及び既設サッシ枠を改装サッシ枠に改装する改装工法に関する。
【背景技術】
【０００２】
建物のリフォーム時等に、防音性、断熱性、気密性等のサッシ性能の向上のために、既設サッシ枠を、サッシ性能の優れた新しいサッシ枠に改装する場合には、既設サッシ枠を建物躯体の開口部より撤去して、新設サッシ枠を取付ける改装工法が一般的である。しかし、この従来の工法では、既設サッシ枠の取外し作業や、新設サッシ枠の取付後における躯体の復旧作業等に手数を要し、工期が延びるばかりでなく、改装費用が嵩む。また、取外して不要となった既設サッシ枠、及びそれと共に建物躯体から取り外された外装材や内装材を、廃棄物として処分しなければならないので、その費用も嵩むという問題がある。
そのため、近年においては、既設サッシ枠を取付けた状態のまま、新設サッシ枠を取付けた改装サッシ枠や、既設サッシ枠の改装工法が種々提案されている(例えば、特許文献１、２参照)。
【先行技術文献】
【特許文献】
【０００３】
【特許文献１】特許第５１６１１６１号公報
【特許文献２】特開２００８−２２３２８６号公報
【発明の概要】
【発明が解決しようとする課題】
【０００４】
上記特許文献１に記載されているものにおいては、既設サッシ枠に、方形に枠組みされた肉厚の下地枠を、既設サッシ枠の内周面をカバーするように取り付け、この下地枠の内周面に新設サッシ(改装サッシ)を取り付けているので、改装後のサッシ枠の開口面積が小さくなり、窓の採光や通風等の面で不利となる。また、既設サッシ枠の大きさや形状に対応して、下地枠を別途製作し、それを既設サッシ枠に取り付けなければならないので、工期が延びるとともに、改装費用が嵩む。
【０００５】
特許文献２に記載されているものにおいても、既設サッシ枠の内周面に、方形に枠組みされたアルミニウムの押出し型材よりなる肉薄のベース枠を取り付け、このベース枠の内周面に、新設サッシを取付けているので、特許文献１に記載されているものほどではないが、改装後のサッシ枠の開口面積が小さくなるという問題がある。また、上記と同様に、既設サッシ枠の大きさや形状に対応して、ベース枠を押出し成形により別途製作しなければならないので、工期が延びるとともに、改装費用が嵩む。
【０００６】
本発明は、上記問題点に鑑みてなされたもので、既設サッシ枠を改装するに際し、工期の短縮と改装費用の削減が図れるとともに、改装後のサッシ枠の開口面積を、従来工法のように小さくなることを可及的に防止しうるようにした改装サッシ枠及び既設サッシ枠の改装工法を提供することを目的としている。
【課題を解決するための手段】
【０００７】
本発明の改装サッシ枠によると、上記課題は、次の各項のようにして解決される。
（１）建物躯体の方形をなす開口部に取付けられた、既設上枠、既設下枠及び左右の既設縦枠よりなる既設サッシ枠の枠内に、新設上枠、新設下枠及び左右の新設縦枠よりなる新設サッシ枠を取付けてなる改装サッシ枠において、前記既設サッシ枠における既設上枠、既設下枠及び左右の既設縦枠は、内面に前記建物躯体の室外側の側面または前記開口部の内周面に取付けた枠材における室外側の側面に固定された内向固定片を有し、かつ前記既設上枠と既設下枠における前記内向固定片よりも室外側の内面には、内向固定片と平行をなすように内向きに突設された、障子等用の案内レールとを備え、前記新設サッシ枠における新設上枠、新設下枠及び左右の新設縦枠の外周面に突設した外向きの取付片を、前記案内レールの少なくとも一部を切除した状態で前記内向固定片または開口部の内周面に取付けた前記枠材の室外側の側面に、ねじをもって固定することにより、前記既設サッシ枠の枠内に前記新設サッシ枠を取付ける。
【０００８】
（２）上記(１)項において、既設サッシ枠における左右の既設縦枠の内面に突出フィンが設けられているものにおいて、この突出フィン少なくとも一部を切除する。
【０００９】
（３）上記(１)または(２)項において、新設上枠、新設下枠及び左右の新設縦枠の外周面における室内側の側縁に、室内方向を向く第２の取付片を設け、この第２の取付片を、建物躯体の開口部の内周面または開口部の内面に取付けた枠材の内周面に、ねじにより固定する。
【００１０】
（４）上記(１)〜(３)項のいずれかにおいて、外向きの取付片と内向固定片または枠材の室外側の側面との間にシール材を設ける。
【００１１】
また、本発明の既設サッシ枠の改装工法によると、上記課題は、次の各項のようにして解決される。
（５）建物躯体の方形をなす開口部に取付けられた既設サッシ枠を、上記(１)〜(４)項のいずれかに記載の改装サッシ枠に改装する既設サッシ枠の改装工法であって、前記既設サッシ枠における既設上枠及び既設下枠に枠内方向に内向きに突設された、障子等用の案内レールの少なくとも一部を切除する工程と、新設サッシ枠における新設上枠、新設下枠及び左右の新設縦枠を、前記既設サッシ枠内に室外側より挿入し、前記新設上枠、新設下枠及び左右の新設縦枠の外向きの取付片を、前記既設サッシ枠における既設上枠、既設下枠及び左右の既設縦枠の内向固定片または開口部の内周面に取付けた枠材の室外側の側面に、ねじにより固定する工程とを備えるものとする。
【００１２】
（６）上記(５)項において、既設サッシ枠における左右の既設縦枠の内面に突出フィンが設けられているものにおいて、この突出フィン少なくとも一部を切除する。
【００１３】
（７）上記(５)または(６)項において、新設上枠、新設下枠及び左右の新設縦枠の外周面における室内側の側縁に、室内方向を向く第２の取付片を設け、この第２の取付片を、建物躯体の開口部の内周面または開口部の内面に取付けた枠材の内周面に、ねじにより固定する工程を有する。
【００１４】
（８）上記(５)〜(７)項のいずれかにおいて、外向きの取付片と内向固定片または枠材の室外側の側面との間にシール材を介在させて、取付片と固定片とをねじにより固定する。
【００１５】
(９) 上記(５)〜(８)項のいずれかにおいて、既設サッシ枠の内周面と新設サッシ枠の外周面との間に形成される隙間を、断熱性の塞ぎ材により閉塞する。
【発明の効果】
【００１６】
本発明の改装サッシ枠及び既設サッシ枠の改装工法によれば、次のような効果が得られる。
（１）新設サッシ枠の外向きの取付片を、既設サッシ枠の内向固定片または開口部の内周面に取付けた枠材に直接固定しているので、従来工法のように、新設サッシ枠取付用の部材を別途製作してこれを既設サッシ枠に取付ける必要はなく、実質的に新設サッシ枠の施工のみで改装しうるので、工期が短縮されるとともに、改装費用が削減される。
（２）既設サッシ枠と新設サッシ枠との間に何らの部材を設ける必要がなく、既設サッシ枠の内周面に新設サッシ枠を近づけて取付けることができるので、従来工法のように、改装サッシ枠の開口面積が小さくなることを、可及的に防止することができ、窓の採光や通風等の面で有利となる。
（３）既設サッシ枠の障子等用の案内レール、更には必要に応じて既設縦枠の突出フィンの少なくとも一部を切除した状態で、新設サッシ枠の取付片を既設サッシ枠の内向固定片または枠材に固定するので、新設サッシ枠を既設サッシ枠内に室外側より挿入する際において、新設サッシ枠の外向きの取付片が案内レールや突出フィンと干渉することがなく、既設サッシ枠への新設サッシ枠の取付け作業が能率的となる。
【図面の簡単な説明】
【００１７】
【図１】本発明の改装工法により、外付けタイプの既設サッシ枠を改装サッシ枠に改装した第１の実施形態における躯体開口部の縦断面図である。
【図２】同じく、躯体開口部の横断面図である。
【図３】同じく、既設サッシ枠を改装サッシ枠に改装する前の縦断面図である。
【図４】本発明の改装工法により、内付けタイプの既設サッシ枠を改装サッシ枠に改装した第２の実施形態における躯体開口部の縦断面図である。
【発明を実施するための形態】
【００１８】
以下、本発明の実施形態を、図面に基づいて説明する。
図１は、本発明に係る改装サッシ枠の第１の実施形態、すなわち、外付けタイプの既設サッシ枠を、本発明の改装工法をもって改装サッシ枠に改装した実施例における躯体開口部の縦断面図、図２は、同じく躯体開口部の横断面図、図３は、同じく既設サッシ枠を改装サッシ枠に改装する前の縦断面図である。
【００１９】
図１〜図３に示すように、改装サッシ枠１は、アルミニウム等よりなる外付けタイプの既設サッシ枠２と、その内面側に取り付けられた新設サッシ枠３とからなっている。既設サッシ枠２は、建物躯体４の室外側の側面と、建物躯体４の方形をなす開口部５の内周面に取付けられた、枠材としての額縁６の室外側の側面とに、建物躯体４の外壁面に取付けた外装材７よりも外方に突出するようにして固定されている。
【００２０】
既設サッシ枠２は、既設上枠２ａ、既設下枠２ｂ及び断面形状の等しい左右の既設縦枠２ｃ、２ｃよりなる一般的な引違い窓用のもので、それらを方形に枠組みして形成されている。既設上枠２ａの下面には、室内側から順に、額縁６の外側面に固定された内向固定片８と、図示しない既設内障子を案内する既設上部内レール９と、既設外障子を案内する既設上部外レール１０と、既設網戸を案内する既設上部網戸レール１１とが、互いに平行をなすようにして下向きに突設されている。なお、額縁６を省略した際には、内向固定片８は建物躯体４の室外側の側面に固定される。
【００２１】
既設下枠２ｂの上面は、下側の額縁６の上面と整合する位置から室外側に向かって漸次低くなる階段状の段差面とされ、この段差面には、室内側から順に、額縁６の外側面に固定された内向固定片１２と、この内向固定片１２と平行をなす既設内障子案内用の既設下部内レール１３と、既設外障子案内用の既設下部外レール１４と、既設網戸案内用の既設下部網戸レール１５とが、それぞれ、上記既設上枠２ａの内向固定片８及び各レール９、１０、１１と対向するようにして、上向きに突設されている。なお、図１においては、既設上部内レール９、既設上部外レール１０、既設上部網戸レール１１及び既設下部内レール１３は、既設サッシ枠２を改装サッシ枠１に改装する際に切除してあるため、２点鎖線で示してある。
【００２２】
図２に示すように  左右の既設縦枠２ｃ、２ｃの内面には、室内側から順に、額縁６の室外側の側面に固定された内向固定片１６、１６と、既設内障子用の内側突出フィン１７、１７と、既設外障子用の外側突出フィン１８、１８と、網戸用の網戸用突出フィン１９、１９とが、互いに平行をなすようにして左右方向内向きに突設されている。なお、図２においては、内側突出フィン１７、外側突出フィン１８及び網戸用突出フィン１９は、既設サッシ枠２を改装サッシ枠１に改装する際に切除してあるため、２点鎖線で示してある。
【００２３】
上述した新設サッシ枠３は、塩化ビニル樹脂等よりなる引違い窓用のもので、ほぼ同一断面形状の新設上枠３ａ、新設下枠３ｂ及び左右の新設縦枠３ｃ、３ｃよりなり、それらを、額縁６の枠内に嵌め込みうる大きさに方形に枠組みして形成されている。
【００２４】
新設上枠３ａ、新設下枠３ｂ及び左右の新設縦枠３ｃは、室内及び室外方向の幅寸法が既設サッシ枠２のそれよりも大とされた、ほぼ矩形中空状断面の枠本体２０を有し、新設上枠３ａにおける枠本体２０の下面(内面)には、新設内障子Ａを案内する新設上部内レール２１、新設外障子Ｂを案内する新設上部外レール２２及び図示しない網戸を案内する新設上部網戸レール２３が、また新設下枠３ｂの枠本体２０の上面(内面)には、新設内障子Ａ案内用の新設下部内レール２４、新設外障子Ｂ案内用の新設下部外レール２５及び網戸案内用の新設下部網戸レール２６が、それぞれ上下に対向するようにして突設されている。
【００２５】
図２に示すように、左右の新設縦枠３ｃ、３ｃの枠本体２０の対向面にも、新設内障子Ａ用の新設側部内レール２７と、新設外障子Ｂ用の新設側部外レール２８と、網戸用の新設側部網戸レール２９とが、対向状に内向きに突設されている。
また、上下左右の各枠本体２０における室内側の端部の内周面には、立上がり片３０が内向きに突設されている。
【００２６】
上下左右の各枠本体２０における外周面の中間部には、外向き鍔状の第１取付片３１が突設され、また各枠本体２０の外周壁における室内側の側縁には、室内方向に延出する第２取付片３２が突設されている。
【００２７】
次に、上記新設サッシ枠３を用いて、外付けタイプの既設サッシ枠２を改装サッシ枠１に改装する改装工法について説明する。
まず、既設サッシ枠２を、これに新設サッシ枠３を室外側から嵌装する際に支障とならない形状に加工する。
すなわち、図１〜図３に２点鎖線で示すように、新設サッシ枠３の外向き鍔状の第１取付片３１と対向する、既設サッシ枠２に内向き突設された既設上部内レール９、既設上部外レール１０、既設上部網戸レール１１、既設下部内レール１３、既設下部外レール１４、内側突出フィン１７、外側突出フィン１８及び網戸用突出フィン１９を、基端部において切除し、それらの各レールに第１取付片３１が干渉しないようにする。既設サッシ枠２はアルミニウムまたは合成樹脂よりなり、かつ既設上部内レール９等の各レールの厚さも薄いので、各レールの基端部に鋭利なバリ取り工具等により長手方向の切込み溝を形成すれば、各レールを折り曲げて容易に切除することができる。なお、第１取付片３１と干渉しなければ、既設上部内レール９、既設上部外レール１０、既設上部網戸レール１１、既設下部内レール１３、既設下部外レール１４、内側突出フィン１７、外側突出フィン１８及び網戸用突出フィン１９は、その一部のみを切除することもある。
【００２８】
次いで、新設サッシ枠３における新設上枠３ａ、新設下枠３ｂ及び左右の新設縦枠３ｃの第１取付片３１の室内側の側面に、ゴムまたは合成樹脂製のシール材３３を接着したのち、枠組みした新設サッシ枠３または個々の新設上枠３ａ、新設下枠３ｂ及び左右の新設縦枠３ｃを室外側より額縁６内に挿入し、シール材３３を、既設サッシ枠２の上下左右の内向固定片８、１２、１６の室外側の側面に当接させる。
【００２９】
次いで、図１及び図２に示すように、新設サッシ枠３の第１取付片３１と、既設サッシ枠２の各内向固定片８、１２、１６とを、額縁６の室外側の側面に、複数のねじ３４をもって室外側から共締めして固定するとともに、室内方向を向く第２取付片３２を、額縁６の内周面に、複数のねじ３４をもって固定する。これにより、既設サッシ枠２は改装サッシ枠１に改装され、既設サッシ枠２の内周面は、新設サッシ枠３の室外側のほぼ半分により覆われる。また、既設サッシ枠２の内向固定片８、１２、１６と、新設サッシ枠３の第１取付片３１との固定部には、シール材３３により止水ラインが形成される。
なお、この実施例では、新設上枠３ａ及び左右の新設縦枠３ｃと、額縁６の内面との間に隙間が形成されるため、この隙間にスペーサ３５を挟入し、このスペーサ３５を介して、第２取付片３２を額縁６の内面に固定しているが、上側の額縁６が、隙間が形成されない厚さであれば、スペーサ３５を省略して、第２取付片３２を額縁６の内面に直接固定することができる。
【００３０】
このようにして、既設サッシ枠２の内側に新設サッシ枠３を取付けたのち、既設サッシ枠２の内周面と新設サッシ枠３の外周面との間に形成された隙間に閉塞処理を施す。すなわち、図１及び図２に示すように、第１取付片３１よりも室外側において、既設上枠２ａと新設上枠３ａとの間に形成された隙間、既設下枠２ｂと新設下枠３ｂとの間に形成された室内側寄りの隙間、及び左右の既設縦枠２ｃ、２ｃと新設縦枠３ｃ、３ｃとの間に形成された隙間を、ポリウレタンやポリエチレン系発泡樹脂材よりなる断熱性を有する塞ぎ材３６と、コーキング材３７とにより塞ぐ。なお、既設下枠２ｂと新設下枠３ｂとの間の隙間は、塞ぎ材３６のみにより塞いである。
【００３１】
これにより、既設サッシ枠２の内向固定片８、１２、１６と、新設サッシ枠３の第１取付片３１との固定部に形成される止水ラインが、断熱性の塞ぎ材３６により隠蔽される。その結果、止水ラインへの雨水の浸入と外気の入り込みが抑制され、かつ紫外線劣化が起きにくくなるので、長期間に亘り止水性能が維持される。なお、既設下枠２ｂにおける塞ぎ材３６の外方の下面には、図１の２点鎖線で示すような下向きの水切りカバー３８を取付けるのが好ましい。このような水切りカバー３８を取付けると、雨水が塞ぎ材３６方向に浸入するのが防止されるとともに、塞ぎ材３６が室外側から目隠しされる。
【００３２】
次に、図４を参照して、内付けタイプの既設サッシ枠２を改装サッシ枠１に改装した第２の実施形態について説明する。なお、第１の実施形態と同じ部材または同じ機能を有する部材には、上記と同じ符号を付すに止め、その詳細な説明は省略する。
【００３３】
この第２の実施形態の既設サッシ枠２は、ほぼ全体が建物躯体４の開口部５内に位置するように、すなわち開口部５における室外側のほぼ半分の内周面と当接するようにして、建物躯体４の室外側の側面と開口部５の内面とに固定されている。既設サッシ枠２よりも室内側において、開口部５の内周面には、枠材である額縁６が、既設サッシ枠２の室内側の側面と当接するようにして取付けられている。
【００３４】
この既設サッシ枠２における既設上枠２ａと既設下枠２ｂにも、上記第１の実施形態と同様の内向固定片８、既設上部内レール９、既設上部外レール１０、既設上部網戸レール１１と、内向固定片１２、既設下部内レール１３、既設下部外レール１４、既設下部網戸レール１５とが、それぞれ上下に対向するようにして設けられている。なお、図４においては、既設上部内レール９、既設上部外レール１０、既設上部網戸レール１１及び既設下部内レール１３は、既設サッシ枠２を改装サッシ枠１に改装する際に切除してあるため、２点鎖線で示してある。
図示を省略した左右の既設縦枠にも、上記第１の実施形態の内向固定片１６、内側突出フィン１７、外側突出フィン１８、及び網戸用突出フィン１９と同様のレールが設けられている。
【００３５】
既設サッシ枠２に新設サッシ枠３を取付けるには、上記第１の実施形態と同様に、既設サッシ枠２の既設上部内レール９、既設上部外レール１０、既設上部網戸レール１１及び既設下部内レール１３を切除したのち、既設サッシ枠２内に、新設サッシ枠３を室外側より挿入し、新設サッシ枠３の第１取付片３１を、シール材３３を介して既設サッシ枠２の各内向固定片８、１２に固定するとともに、新設サッシ枠３の第２取付片３２を額縁６の内面に固定する。この際、既設の額縁６の板厚によっては、新設サッシ枠３の外周面と額縁６の内周面との間に隙間が形成され、第２取付片３２の固定面がない場合がある。この際には、隙間に、図４に示すような木枠等の枠材３９を室内側より嵌め込み、この枠材３９に、第１取付片３１と第２取付片３２を固定するねじ３４を締め込めばよい。
【００３６】
このようにして、内付けタイプの既設サッシ枠２を改装サッシ枠１に改装した後、第１実施形態と同様に、既設サッシ枠２の内周面と新設サッシ枠３の外周面との間に形成された隙間を、塞ぎ材３６やコーキング材３７により塞ぎ、既設サッシ枠２の内向固定片８、１２と、新設サッシ枠３の第１取付片３１との固定部に形成される止水ラインを隠蔽して外気が入り込むのを抑制する。
【００３７】
以上説明したように、上記第１、第２の実施形態の改装サッシ枠１及び改装工法によれば、いずれも、既設サッシ枠２と新設サッシ枠３との間に何らの別部材を設けることなく、新設サッシ枠３に設けた第１取付片３１と第２取付片３２とを、既設サッシ枠２に設けてある上下左右の内向固定片８、１２、１６と額縁６の内面とに、直接固定しているので、従来工法のように、改装サッシ枠１の開口面積の開口面積が小さくなることを、可及的に防止することができ、窓の採光や通風等の面で有利となる。
【００３８】
また、新設サッシ枠３取付用の部材を別途製作して、これを既設サッシ枠２に取付けたり、建物躯体４の額縁６や外装材７に加工を施したりすることなく、実質的に新設サッシ枠３の施工のみで改装しうるので、工期が短縮されるとともに、改装費用が削減される。
【００３９】
さらに、新設サッシ枠３の第１取付片３１と既設サッシ枠２の内向固定片８、１２、１６との固定部に、シール材３３による止水ラインが形成されるので、室外側から雨水等が室内側に浸入するのを防止することができる。
【００４０】
上記実施形態の既設サッシ枠の改装工法によると、新設サッシ枠３の第１取付片３１と対向する、既設サッシ枠２に内向き突設された既設上部内レール９、既設上部外レール１０、既設上部網戸レール１１、既設下部内レール１３、既設下部外レール１４、内側突出フィン１７、外側突出フィン１８及び網戸用突出フィン１９を、基端部において切除してから、新設サッシ枠３を取付けるので、第１取付片３１を各レールと干渉させることなく、新設サッシ枠３を既設サッシ枠２に室外側から挿入して、第１取付片３１を、既設サッシ枠２の内向固定片８、１２、１６に容易にねじ止めすることができる。
また、既設サッシ枠２への新設サッシ枠３の取付け作業を統一して標準化することができるので、改装作業を手際よく行うことができるとともに、改装サッシ枠１のサッシ性能が安定する。
【００４１】
本発明は、上述した外付けや内付けタイプの既設サッシ枠２の外、半外付けタイプの既設サッシ枠等にも適用することができる。また、上記のような既設サッシ枠２を、外開き窓、辷り出し窓、バルコニードア、テラスドア、ドレーキップ窓等の改装サッシ枠に改装する際にも適用することができる。
【００４２】
また、上記実施形態では、新設サッシ枠３に設けた第１取付片３１を、既設サッシ枠２の上下左右の内向固定片８、１２、１６に固定しているが、例えば内向固定片８、１２、１６の突出寸法が小さく、第１取付片３１の固定代が不足する場合には、第１取付片３１を、額縁６または枠材３９の室外側の側面に固定することもある。この際には、シール材３３を、第１取付片３１と額縁６または枠材３９の室外側の側面との間に介在させればよい。
【００４３】
さらに、上記実施形態では、既設サッシ枠２における既設縦枠２ｃに、突出フィン１７、１８、１９を有するものとしたが、このような突出フィン１７、１８、１９を有していない既設サッシ枠２を、改装サッシ枠１に改装する際にも、本発明を適用することができる。この際には、既設上枠２ａと既設下枠２ｂのレール９、１０、１１のみを切除して改装すればよいのは言うまでもない。
【符号の説明】
【００４４】
１  改装サッシ枠
２  既設サッシ枠
２ａ  既設上枠
２ｂ  既設下枠
２ｃ  既設縦枠
３  新設サッシ枠
３ａ  新設上枠
３ｂ  新設下枠
３ｃ  新設縦枠
４  建物躯体
５  開口部
６  額縁(枠材)
７  外装材
８  内向固定片
９  既設上部内レール
１０  既設上部外レール
１１  既設上部網戸レール
１２  内向固定片
１３  既設下部内レール
１４  既設下部外レール
１５  既設下部網戸レール
１６  内向固定片
１７  内側突出フィン
１８  外側突出フィン
１９  網戸用突出フィン
２０  枠本体
２１  新設上部内レール
２２  新設上部外レール
２３  新設上部網戸レール
２４  新設下部内レール
２５  新設下部外レール
２６  新設下部網戸レール
２７  新設側部内レール
２８  新設側部外レール
２９  新設側部網戸レール
３０  立上がり片
３１  第１取付片
３２  第２取付片
３３  シール材
３４  ねじ
３５  スペーサ
３６  塞ぎ材
３７  コーキング材
３８  水切りカバー
３９  枠材
Ａ  新設内障子
Ｂ  新設外障子
【図１】
2015071920.tif 000003
【図２】
2015071920.tif 000004
【図３】
2015071920.tif 000005
【図４】
2015071920.tif 000006